(57)【要約】【課題】着用者の股部と脚周りのフィット性に優れるとともに、脚の動きに対する追従性にも優れて、横漏れを効果的に防止できるようにする。【解決手段】胴周りを構成する前腹部材２Ｐおよび後背部材２Ｑと、これらに跨っておむつ前後方向Ｘに延在する吸収性本体３とが設けられ、前腹部材２Ｐの前縁部２ｂと後背部材２Ｑの後縁部２ｃと吸収性本体３の両側縁部３ｃとで脚穴部Ｓが形成されて、前腹部材２Ｐと後背部材２Ｑには、ウエスト用弾性部材６が伸張状態で添設されるとともに、少なくとも脚穴部Ｓの前縁部２ｂと後縁部２ｃとに沿って脚周り用弾性部材８Ａ，８Ｂが伸張状態で添設されて、この前縁部２ｂの複数本の前脚周り用弾性部材８Ａは、前縁部２ｂからウエスト用弾性部材６の方向に向かって収縮力が順次に弱くなるように設定されている。【選択図】  図１
2005027839.tif 000002
【特許請求の範囲】
【請求項１】
胴周りを構成する前腹部材および後背部材と、これらに跨っておむつ前後方向に延在する吸収性本体とが設けられて、前腹部材の前縁部と後背部材の後縁部と吸収性本体の両側縁部とで脚穴部が形成された使い捨てパンツ型おむつにおいて、
上記前腹部材と後背部材には、ウエスト用弾性部材が伸張状態で添設されるとともに、少なくとも脚穴部の前縁部と後縁部とに沿って脚周り用弾性部材が伸張状態で添設されて、この前縁部の複数本の前脚周り用弾性部材は、前縁部からウエスト用弾性部材の方向に向かって収縮力が順次に弱くなるように設定されていることを特徴とする使い捨てパンツ型おむつ。
【請求項２】
上記前縁部の複数本の前脚周り用弾性部材は、おむつ幅方向に直線状で延在されている請求項１記載の使い捨てパンツ型おむつ。
【請求項３】
上記吸収性本体には、外方に延出された延出部が形成されて、この延出部の幅方向端縁近傍には、延出用弾性部材がおむつ前後方向に伸張状態で添設されている請求項１または２記載の使い捨てパンツ型おむつ。
【請求項４】
上記前脚周り用弾性部材の直径は、前縁部に近いほど太く設定されている請求項１〜３のいずれか１項に記載の使い捨てパンツ型おむつ。
【請求項５】
上記前脚周り用弾性部材の間隔は、前縁部に近いほど狭く設定されている請求項１〜３のいずれか１項に記載の使い捨てパンツ型おむつ。
【請求項６】
上記前脚周り用弾性部材に吸収性本体が重なる部位では、吸収性本体は前腹部材に接合されていない請求項１〜５のいずれか１項に記載の使い捨てパンツ型おむつ。
【請求項７】
上記前脚周り用弾性部材は、吸収性本体の吸液性コアに掛かる部位では収縮力が発現しないように設定されている請求項１〜５のいずれか１項に記載の使い捨てパンツ型おむつ。
【請求項８】
上記脚穴部の後縁部は、外方に膨らむ形状に形成されている請求項１〜７のいずれか１項に記載の使い捨てパンツ型おむつ。
【請求項９】
上記脚穴部の後縁部の後脚周り用弾性部材は、吸収性本体の吸液性コアに掛かる部位では収縮力が発現しないように設定されている請求項１〜８のいずれか１項に記載の使い捨てパンツ型おむつ。
【請求項１０】
上記吸収性本体は、透液性のトップシートと、不透液性のバックシートと、これらの両シート間に介在する吸液性コアとで構成されて、この吸液性コアの両側縁部から外方に延出する延出部と、両側縁部から上方に起立する立体部とが設けられて、上記立体部は、少なくとも起立端部からおむつ幅方向の外方に向かって立ち上がり、起立自由端部には立体用弾性部材がおむつ前後方向に伸張状態で添設されている請求項１〜９のいずれか１項に記載の使い捨てパンツ型おむつ。
【請求項１１】
上記立体部は、起立縁部からおむつ幅方向の外方に向かって折り返される第１立体部と、第１立体部の上縁から内方に向かって折り返される第２立体部とで形成されて、第１立体部の上縁には中間点弾性部材がおむつ前後方向に伸張状態で弾性部材が添設されている請求項１０記載の使い捨てパンツ型おむつ。
【請求項１２】
上記吸収性本体の少なくとも前端部は、前腹部材に着脱可能に係止されている請求項１〜１１のいずれか１項に記載の使い捨てパンツ型おむつ。
【請求項１３】
上記吸収性本体の裏面には不織布が貼り合わされている請求項１〜１２のいずれか１項に記載の使い捨てパンツ型おむつ。
【発明の詳細な説明】
【０００１】
【発明の属する技術分野】
本発明は、使い捨てパンツ型おむつに関する。
【０００２】
【従来の技術】
従来、前腹部と後背部との間の股部の両側に脚穴部が形成された外装パンツ部材と、この外装パンツ部材の股部に接合されて、おむつ前後方向に延在する吸収性本体とでなる使い捨てパンツ型おむつがある。
【０００３】
そして、外装パンツ部材の弾性部材と吸収性本体の弾性部材とが脚穴部周りに連続するように配置したものが提案されている（例えば、特許文献１参照）。
【０００４】
また、外装パンツ部材の胴周り弾性部材と吸収性本体の弾性部材とが互いに交差するように配置したものが提案されている（例えば、特許文献２参照）。
【０００５】
【特許文献１】
特表２００１−５２２７０３号公報
【特許文献２】
特開平７−２９９８２８号公報
【０００６】
【発明が解決しようとする課題】
しかしながら、特許文献１，２の技術では、着用者の股部と脚周りのフィット性に問題があるとともに、脚の動きに対する追従性にも問題があるから、横漏れを効果的に防止できなかった。
【０００７】
本発明は、上記問題を解消するためになされたもので、着用者の股部と脚周りのフィット性に優れるとともに、脚の動きに対する追従性にも優れて、横漏れを効果的に防止できる使い捨てパンツ型おむつを提供することを課題とするものである。
【０００８】
【課題を解決するための手段】
上記課題を解決するために、本発明は、胴周りを構成する前腹部材および後背部材と、これらに跨っておむつ前後方向に延在する吸収性本体とが設けられて、前腹部材の前縁部と後背部材の後縁部と吸収性本体の両側縁部とで脚穴部が形成された使い捨てパンツ型おむつにおいて、
上記前腹部材と後背部材には、ウエスト用弾性部材が伸張状態で添設されるとともに、少なくとも脚穴部の前縁部と後縁部とに沿って脚周り用弾性部材が伸張状態で添設されて、この前縁部の複数本の前脚周り用弾性部材は、前縁部からウエスト用弾性部材の方向に向かって収縮力が順次に弱くなるように設定されていることを特徴とする使い捨てパンツ型おむつを提供するものである。
【０００９】
請求項２のように、上記前縁部の複数本の前脚周り用弾性部材は、おむつ幅方向に直線状で延在されている構成とすることが好ましい。
【００１０】
請求項３のように、上記吸収性本体には、外方に延出された延出部が形成されて、この延出部の幅方向端縁近傍には、延出用弾性部材がおむつ前後方向に伸張状態で添設されている構成とすることが好ましい。
【００１１】
請求項４のように、上記前脚周り用弾性部材の直径は、前縁部に近いほど太く設定されている構成とすることが好ましい。
【００１２】
請求項５のように、上記前脚周り用弾性部材の間隔は、前縁部に近いほど狭く設定されている構成とすることが好ましい。
【００１３】
請求項６のように、上記前脚周り用弾性部材に吸収性本体が重なる部位では、吸収性本体は前腹部材に接合されていない構成とすることが好ましい。
【００１４】
請求項７のように、上記前脚周り用弾性部材は、吸収性本体の吸液性コアに掛かる部位では収縮力が発現しないように設定されている構成とすることが好ましい。
【００１５】
請求項８のように、上記脚穴部の後縁部は、外方に膨らむ形状に形成されている構成とすることが好ましい。
【００１６】
請求項９のように、上記脚穴部の後縁部の後脚周り用弾性部材は、吸収性本体の吸液性コアに掛かる部位では収縮力が発現しないように設定されている構成とすることが好ましい。
【００１７】
請求項１０のように、上記吸収性本体は、透液性のトップシートと、不透液性のバックシートと、これらの両シート間に介在する吸液性コアとで構成されて、この吸液性コアの両側縁部から外方に延出する延出部と、両側縁部から上方に起立する立体部とが設けられて、上記立体部は、少なくとも起立端部からおむつ幅方向の外方に向かって立ち上がり、起立自由端部には立体用弾性部材がおむつ前後方向に伸張状態で添設されている構成とすることが好ましい。
【００１８】
請求項１１のように、上記立体部は、起立縁部からおむつ幅方向の外方に向かって折り返される第１立体部と、第１立体部の上縁から内方に向かって折り返される第２立体部とで形成されて、第１立体部の上縁には中間点弾性部材がおむつ前後方向に伸張状態で弾性部材が添設されている構成とすることが好ましい。
【００１９】
請求項１２のように、上記吸収性本体の少なくとも前端部は、前腹部材に着脱可能に係止されている構成とすることが好ましい。
【００２０】
請求項１３のように、上記吸収性本体の裏面には不織布が貼り合わされている構成とすることが好ましい。
【００２１】
【発明の作用および効果】
本発明によれば、前脚周り用弾性部材は、脚穴部の前縁部からウエスト用弾性部材の方向に向かって収縮力が順次に弱くなるように設定しているから、吸収性本体が位置する前縁部は収縮しにくいとともに、吸収性本体の両側に位置する前縁部は収縮しやすくなることと相俟って、吸収性本体の両側に位置する前縁部が収縮力の差に伴って上向きに湾曲するようになる。
【００２２】
したがって、前脚周り用弾性部材の収縮力が吸収性本体を持ち上げるように作用するから、吸収性本体が着用者の股部と脚周りにフィットしやすくなるとともに、前脚周り用弾性部材が着用者の脚の動きに追従しやすくなるので、横漏れを効果的に防止できるようになる。
【００２３】
また、吸収性本体の両側に位置する前縁部は、収縮力の差によって上向きに湾曲するので、着用者の太股の圧迫が少なくなって歩行が楽になる。
【００２４】
さらに、前縁部が上向きに湾曲するから、湾曲しない後縁部との関係で、パンツ型おむつの前後が判別しやすいので、前後を間違って着用するおそれがなくなる。
【００２５】
また、前腹部材と後背部材とに分割して製造できるから、前腹部と後背部との間の股部の両側に脚穴部を形成した従来の外装パンツ部材のように、股部を一体に形成する必要がないので、歩留まりが良好になって安価に製造することができる。
【００２６】
請求項２によれば、前脚周り用弾性部材をおむつ幅方向に直線状で延在しているから、パンツ型おむつは、主におむつ幅方向に横流れ状態で製造されることから、脚周り用弾性部材の全ては、従来では股部に向かって凸となるようなカーブ形状で添設する必要があったが、特に脚穴部の前縁部の前脚周り用弾性部材は、おむつ幅方向に直線状で添設することができるので、製造工程を簡略化することができる。
【００２７】
請求項３によれば、吸収性本体の延出部に延出用弾性部材を添設しているから、着用者の股部に対するフィット感がより優れるようになる。
【００２８】
また、前脚用弾性部材と後脚用弾性部材と延出用弾性部材とによって、着用者の脚周りを全周包囲できるために、横漏れ防止性能がより向上するようになる。
【００２９】
請求項４によれば、前脚周り用弾性部材の直径を前縁部に近いほど太く設定すると、複数本の前脚周り用弾性部材を同じ伸張倍率で引っ張った状態で添設するだけで、収縮力を変えることができるので、収縮力を順次に弱くする設定が容易になる。
【００３０】
請求項５によれば、前脚周り用弾性部材の間隔を前縁部に近いほど狭く設定すると、複数本の同じ太さの前脚周り用弾性部材を同じ伸張倍率で引っ張った状態で添設するだけで、収縮力を変えることができるので、収縮力を順次に弱くする設定が容易になる。
【００３１】
請求項６によれば、前脚周り用弾性部材に吸収性本体が重なる部位で、吸収性本体を前腹部材に接合していないから、前脚周り用弾性部材と延出用弾性部材とが重なる部分において、前脚周り用弾性部材を添設した前腹部材が上下にずれ動きやすくなるので、着用者の脚の動きに追従しやすくなって着用感がより向上するようになる。
【００３２】
請求項７によれば、前脚周り用弾性部材は、吸収性本体の吸液性コアに掛かる部位では収縮力が発現しないよう設定しているから、前脚周り用弾性部材の収縮力で吸液性コアが歪まないので、より快適な着用感が得られるようになる。
【００３３】
請求項８によれば、脚穴部の後縁部を外方に膨らむ形状に形成しているから、着用者の丸みのある臀部を包み込んで、柔らかくフィットさせることができる。
【００３４】
請求項９によれば、脚穴部の後脚周り用弾性部材は、吸収性本体の吸液性コアに掛かる部位では収縮力が発現しないように設定しているから、後脚周り用弾性部材の収縮力で吸液性コアが歪まないので、より快適な着用感が得られるようになる。
【００３５】
請求項１０によれば、吸収性本体に立体部（立ち上がりフラップ）を設けているから、横漏れ防止性能が向上するようになる。また、立体部は、起立端部からおむつ幅方向の外方に向かって立ち上がり、起立自由端部には立体用弾性部材を添設しているから、立体部がトップシートの表面を覆うことがなくなって、有効な吸収表面積を広く確保することができる。
【００３６】
請求項１１によれば、立体部は、起立縁部から外方に向かって折り返した第１立体部と、第１立体部の上縁から内方に向かって折り返した第２立体部とで形成しているから、有効な吸収面積を広く確保しながら立体部を高くできるので、横漏れ防止性能をより向上させることができる。また、第１立体部の上縁に中間点弾性部材を添設しているから、第２立体部がしっかりと起立するので、横漏れ防止性能をより向上させることができる。
【００３７】
請求項１２によれば、吸収性本体の前端部を前腹部材に着脱可能に係止するようにしたから、吸収性本体の前端部を前腹部材から外すことによって、通常は左右一対の脚穴部に脚を通して着用するところが、胴周りを構成する前腹部材と後背部材との間にだけ脚を通せば良いことになって、着用しやすくなる。特に片手や片足が不自由な着用者にとっては、胴周りを構成する前腹部材と後背部材との持ち上げは片手でできるので、着用しやすくなる。加えて、尿取りパッド等の補助吸収体を併用するような場合に、補助吸収体の交換作業も楽に行える。なお、吸収性本体の後端部のみを後背部材に着脱可能に係止することもできる。
【００３８】
また、吸収性本体の前端部と後端部の双方が着脱可能とすれば、吸収性本体だけを取り替えて、胴周りを構成する前腹部材と後背部材とを再利用できるので、経済的になる
請求項１３によれば、吸収性本体の裏面に不織布を貼り合わせると、手触りが良くなるとともに、外観性も良好になる。
【００３９】
【発明の実施の形態】
以下、本発明の実施の形態を図面を参照して詳細に説明する。
【００４０】
図１〜図４および図７（ａ）に示すように、使い捨てパンツ型おむつ１は、胴周りを構成する前腹部材２Ｐおよび後背部材２Ｑと、吸収性本体３とで基本構成されている。
【００４１】
上記前腹部材２Ｐおよび後背部材２Ｑは、肌面側シート４と外面側シート５とをそれぞれ備え、外面側シート５は、肌面側シート４よりもおむつ前後方向Ｘにそれぞれ延長されて、各延長部分には、内向きに折り返された前折り返し部５ａおよび後折り返し部５ｂを形成している。
【００４２】
そして、前腹部材２Ｐおよび後背部材２Ｑのウエスト部分に相当する各折り返し部５ａ，５ｂの間には、複数本のウエスト用弾性部材６がおむつ幅方向Ｗにそれぞれ伸張状態で添設されて、ホットメルト接着剤等で接着されている。
【００４３】
また、後背部材２Ｑの背中に相当する肌面側シート４と外面側シート５との間には、複数本の背中用弾性部材７がおむつ幅方向Ｗに伸張状態で添設されている。
【００４４】
上記前腹部材２Ｐと後背部材２Ｑとは、おむつ前後方向Ｘに一定の間隔Ｔを隔てられ、これらに跨っておむつ前後方向Ｘに延在する吸収性本体３が設けられて、各肌面側シート４に吸収性本体３の前端部３ａと後端部３ｂとが接着等で取付けられるようになる。そして、後述するように、前腹部材２Ｐの前縁部２ｂと後背部材２Ｑの後縁部２ｃと吸収性本体３の両側縁部３ｃとで脚穴部Ｓが形成されるとともに、上記間隔Ｔに位置する吸収性本体３の一部は股部Ｒの前部を構成するようになる。
【００４５】
図２（ｂ）に示したように、上記前腹部材２Ｐは、おむつ幅方向Ｗに長い長方形状に形成されるとともに、前腹部材２Ｐの下端は、おむつ幅方向Ｗの直線状に形成されて、脚穴部Ｓの直線状前縁部２ｂを構成するようになる。
【００４６】
上記後背部材２Ｑは、おむつ幅方向Ｗに長い長方形状に形成されるとともに、この後背部材Ｑの下端には、外方膨らみ状の股部Ｒの後部が連なっていて、この股部Ｒの後部の外縁は、脚穴部Ｓの膨らみ状後縁部２ｃを構成するようになる。
【００４７】
そして、前腹部材Ｐ２の下端、つまり脚穴部Ｓの前縁部２ｂに相当する肌面側シート４と外面側シート５との間には、この前縁部２ｂに沿って、おむつ幅方向Ｗに直線状で複数本の前脚周り用弾性部材８Ａが伸張状態で添設されている。
【００４８】
また、股部Ｒの後部の外縁、つまり脚穴部Ｓの後縁部２ｃに相当する肌面側シート４と外面側シート５との間には、この後縁部２ｃに沿って、膨らみ状で複数本の後脚周り用弾性部材８Ｂが伸張状態で添設されている。
【００４９】
この後脚周り用弾性部材８Ｂは、使い捨てパンツ型おむつ１がおむつ幅方向Ｗに搬送される横流れ状態で製造されるときには、股部Ｒを横切るように連続した蛇行状で添設した後に、股部Ｒの所定の部位（後述）では収縮力が発現しない（小さくする）ように設定されている。
【００５０】
この後脚周り用弾性部材８Ｂの収縮力が発現しないようにするには、外面側シート５と肌面側シート４と間に後脚周り用弾性部材８Ｂを挟んで接着した後に、収縮力を発現させない部位、つまり、上記後背部材２Ｑの切断下端２ｄで切断すれば良い。
【００５１】
上記前腹部材２Ｐおよび後背部材２Ｑの肌面側シート４と外面側シート５とは、上記各弾性部材７，８Ａ，８Ｂを間に挟んだ状態で、ホットメルト接着剤等で接着されている。
【００５２】
上記脚穴部Ｓの前縁部２ｂの複数本の前脚周り用弾性部材８Ａは、この前縁部２ｂからウエスト用弾性部材６の方向に向かって収縮力が順次に弱くなるように設定されている。
【００５３】
この設定方法の一例として、複数本の前脚周り用弾性部材８Ａの直径を前縁部２ｂに近いほど太くすれば、太い方が収縮力が強くなる。このようにすれば、製造工程では、複数本の前脚周り用弾性部材８Ａを同じ伸張倍率で引っ張った状態で添設するだけで、収縮力を変えることができるので、収縮力を順次に弱くする設定が容易になる。
【００５４】
また、複数本の前脚周り用弾性部材８Ａの間隔を前縁部２ｂに近いほど狭くすれば、同じ太さの前脚周り用弾性部材８Ａを同じ伸張倍率で引っ張った状態で添設するだけで、収縮力を変えることができるので、収縮力を順次に弱くする設定が容易になる。
【００５５】
上記肌面側シート４と外面側シート５との接着体は、吸収性本体３の股部Ｒを境にして前腹部材２Ｐと後背部材２Ｑとを重ね合わせて、サイド部２ａを熱接合することにより、図７（ａ）のような使い捨てパンツ型おむつ１として組み立てられるようになる。
【００５６】
上記肌面側シート４は、撥水性不織布材料（スパンボンド不織布、メルトブロー不織布、ＳＭＳ不織布等）が用いられる。好ましくは、目付１０〜２５ｇ／ｍ２の撥水性不織布材料である。また、内面のみを親水化〔界面活性剤を塗布するあるいは親水性繊維（レーヨン、コットン等）の層を作る。〕しても良く、この場合には、肌に当接した場合の感触が良くなり、吸汗効果も期待できる。
【００５７】
上記外面側シート５は、通気性のある撥水性不織布材料（スパンボンド不織布、メルトブロー不織布、ＳＭＳ不織布等）が用いられる。好ましくは、目付１０〜２５ｇ／ｍ２の撥水性不織布材料である。
【００５８】
上記ウエスト用弾性部材６は、通常使い捨ておむつに用いられる弾性伸縮材料（ポリウレタン糸、ポリウレタンフィルム、天然ゴム等）が用いられ、ホットメルト接着剤、熱接着、超音波接着など好適な添設手段でもって添設される。好ましくはゴム系のホットメルト接着剤である。好ましくは、繊度７００〜２０００デシテックスのポリウレタン糸を、倍率２．０〜４．０倍に伸張して添設する。
【００５９】
上記前脚周り用弾性部材８Ａと後脚周り用弾性部材８Ｂは、通常使い捨ておむつに用いられる弾性伸縮材料（ポリウレタン糸、ポリウレタンフィルム、天然ゴム等）が用いられ、ホットメルト接着剤、熱接着、超音波接着など好適な添設手段でもって添設される。好ましくはゴム系のホットメルト接着剤である。好ましくは、繊度３００〜１８５０デシテックスのポリウレタン糸を、倍率１．１〜３．０倍に伸張して添設する。
【００６０】
上記背中用弾性部材７は、通常使い捨ておむつに用いられる弾性伸縮材料（ポリウレタン糸、ポリウレタンフィルム、天然ゴム等）が用いられ、ホットメルト接着剤、熱接着、超音波接着など好適な添設手段でもって添設される。好ましくはゴム系のホットメルト接着剤である。また、好ましくは、幅８ｍｍのポリウレタンフィルムを、倍率１．１〜３．０倍に伸張して添設する。背中側にこのような幅があっても、平らなフィルム状弾性部材を間隔を置いて複数本配置することによって、柔らかくフィットするようになる。
【００６１】
上記吸収性本体３は、透液性のトップシート１２と不透液性のバックシート１３と、これらの両シート１２，１３の間に介在する吸液性コア１４とで構成されている。
【００６２】
上記吸液性コア１４は、下層吸収体１４Ａと上層吸収体１４Ｂとの２層構造になっていて、例えば、下層吸収体１４Ａは、吸水性樹脂を混合したパルプ繊維集合層が好ましく、上層吸収体１４Ｂは、吸水性樹脂層が好ましい。
【００６３】
この下層吸収体１４Ａは、図３（ｂ）のように、例えば、着用者の体型にフィットしやすいような前後異形のひょうたん型の平面形状に形成して、おむつ幅方向Ｗの適所にスリット開口部１４ａを形成している。なお、スリット開口部１４ａに代えて、下層吸収体１４Ａをおむつ幅方向Ｗに分断しても良い。
【００６４】
この下層吸収体１４Ａは、上下の被覆シート１５で被覆して形態を保持している。この被覆シート１５は、ティッシュペーパーなどの紙シートあるいは透液性不織布シート等から適切に選定できる。
【００６５】
上記上層吸収体１４Ｂは、図４（ａ）のように、例えば、おむつ前後方向Ｘに長い長方形状に形成して、下層吸収体１４Ａのスリット開口部１４ａに対応させておむつ幅方向Ｗに分断している。
【００６６】
この上層吸収体１４Ｂは、図４（ｂ）のように、内面にホットメルト接着剤１６を塗布した上下の被覆シート１７で被覆して形態を保持するとともに、分断された上層吸収体１４Ｂの隙間の上下の被覆シート１７をヒートシールや超音波シール等で封止して、封止部１４ｂを形成している。
【００６７】
図３（ａ）は吸収性本体３の平面図であって、下層吸収体１４Ａのスリット開口部１４ａと上層吸収体１４Ｂの封止部１４ｂとは、上下に重なるように配置している。
【００６８】
また、図２のように、下層吸収体１４Ａのスリット開口部１４ａの間に位置して、股間用弾性部材１９がおむつ前後方向Ｘに伸張状態で添設されている。この股間用弾性部材１９の収縮力で、吸液性コア１４が着用者の股間にしっかりとフィットして、横漏れ防止性能が向上するようになる。
【００６９】
上記股間用弾性部材１９は、下の被覆シート１５の上面に接着しているが、バックシート１３の上面に接着しても良く、また、バックシート１１の下面に接着する股下押えシート（不図示）との間に接着しても良く、さらに、上記肌面側シート４に接着する下側の股下押えシートとバックシート１３に接着する上側の股下押えシートとの間に接着しても良い。
【００７０】
上記吸収性本体３のトップシート１２とバックシート１３との間には、下層吸収体１４Ａと上層吸収体１４Ｂとがホットメルト接着剤等で接着されている。
【００７１】
上記吸収性本体３の両側には、延出部２１Ａと立体部２１Ｂとを形成するサイドシート２１が配置され、このサイドシート２１の下端部２１ａは上記バックシート１３の下面に接着され、この下端部２１ａに連なって外方に延出する延出部２１Ａが形成されている。
【００７２】
このサイドシート２１の延出部２１Ａ内の幅方向端縁近傍には、延出用弾性部材２２がおむつ前後方向に伸張状態で添設されている。
【００７３】
上記サイドシート２１の延出部２１Ａに連なって上方に立ち上がる立体部２１Ｂが形成されている。この立体部２１Ｂは、起立基端部２１ｂが上記トップシート１２にホットメルト接着剤２３で接着されて、この起立基端部２１ｂからおむつ幅方向Ｗの外方に向かって立ち上がるようにしている。
【００７４】
この立体部２１Ｂの起立自由端部２１ｃは、外向きに折り返されて、この折り返し部分には、立体用弾性部材２４がおむつ前後方向Ｘに伸張状態で添設されている。この立体部２１Ｂの前後端部は、外面が起立基端部２１ｂよりも幅方向外側にあるサイドシート２１の上面に接着されている。
【００７５】
上記吸収性本体３のバックシート１３の裏面に、図２（ａ）に二点鎖線で示すように、不織布１８を貼り合わせることが好ましい。
【００７６】
上記吸収性本体３の前端部３ａと後端部３ｂは、上記前腹部材２Ｐおよび後背部材２Ｑに図１（ａ）のような位置関係でホットメルト接着剤により接着されるようになる。なお、前脚周り用弾性部材８Ａに吸収性本体３が重なる部位〔図１（ａ）にハッチングＹで示す。〕では、吸収性本体３を前腹部材２Ｐに接着していない。
【００７７】
また、上記後脚周り用弾性部材８Ｂが吸収性本体３の吸液性コア１４に掛かる部位では収縮力が発現しないように設定するために、後背部材２Ｑの切断下端２ｄで切断して、後脚周り用弾性部材８Ｂの切断端８ａが吸収性本体３の吸液性コア１４に掛かる直前となるようにしている。
【００７８】
さらに、図３（ａ）に示したように、バックシート１３の股部Ｒに相当する部分を股部Ｒに沿わせて円弧状にカットすると（符号Ｚ参照）、サイドシート２１の延出部２１Ａは、通気性の不織布のみとなって、着用感が快適になる。
【００７９】
上記吸液性コア１４は、粉砕したパルプ繊維やセルロース繊維等の親水性繊維集合層に粒状の高分子吸水体を混合した吸液性コアを、ティッシュペーパーなどの紙シートあるいは透液性不織布シート等の被覆シートで包んで、所定形状（長方形、砂時計型、ひょうたん型等）に成形した吸収体である。上記繊維や高分子吸水体をシート状に成形したシート状吸収体（例えばエアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【００８０】
上記トップシート１２は、透液性不織布材料が好ましい。例えば、親水性繊維（セルロース、レーヨン、コットン等）を用いた不織布材料、あるいは疎水性繊維（ポリプロピレン、ポリエステル、ポリアミド、ナイロン等）の表面を界面活性剤により処理し、透液性とした不織布材料が用いられる。好ましくは、目付１０〜２５ｇ／ｍ２の疎水性繊維の裏面を界面活性剤により処理し透液性とした透液性の不織布材料（ポイントボンド不織布、エアースルー不織布）である。
【００８１】
上記バックシート１３は、撥水性不織布材料（スパンボンド不織布、メルトブロー不織布、ＳＭＳ不織布等）、プラスチックフィルム（通気性であっても非通気性であっても良いが、好適な態様としては通気性プラスチックフィルムが望ましい）やその複合材料が用いられる。好ましくは、目付１５〜４０ｇ／ｍ２の通気性ポリエチレンフィルムである。
【００８２】
上記不織布１８およびサイドシート２１は、通気性があって撥水性である不織布材料（スパンボンド不織布、メルトブロー不織布、ＳＭＳ不織布等）が用いられる。好ましくは、目付１０〜２５ｇ／ｍ２の撥水性不織布材料である。
【００８３】
なお、延出部２１Ａおよび立体部２１Ｂは、サイドシート２１に一体に形成しても良いが、分割してそれぞれ吸収性本体３に接着するようにしても良い。
【００８４】
上記立体用弾性部材２４（後述する中間点弾性部材２５も同じ）は、通常使い捨ておむつに用いられる弾性伸縮材料（ポリウレタン糸、ポリウレタンフィルム、天然ゴム等）が用いられ、ホットメルト接着剤、熱接着、超音波接着など好適な添設手段でもって添設される。好ましくはゴム系のホットメルト接着剤である。好ましくは、繊度３００〜２０００デシテックスのポリウレタン糸を、倍率１．１〜４．０倍に伸張して添設する。
【００８５】
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。なお、サイド部２ａについては、熱接合が好ましい。
【００８６】
上記のように構成した使い捨てパンツ型おむつ１によれば、前脚周り用弾性部材８Ａは、脚穴部Ｓの前縁部２ｂからウエスト用弾性部材６の方向に向かって収縮力が順次に弱くなるように設定しているから、図７（ａ）に示したように、吸収性本体３が位置する前縁部２ｂは収縮しにくいとともに、吸収性本体３の両側に位置する前縁部２ｂは収縮しやすくなることと相俟って、吸収性本体３の両側に位置する前縁部２ｂが収縮力の差に伴って上向きに湾曲するようになる。
【００８７】
したがって、前脚周り用弾性部材８Ａの収縮力が吸収性本体３を持ち上げるように作用するから、吸収性本体３が着用者の股部と脚周りにフィットしやすくなるとともに、前脚周り用弾性部材８Ａが着用者の脚の動きに追従しやすくなるので、横漏れを効果的に防止できるようになる。
【００８８】
また、吸収性本体３の両側に位置する前縁部２ｂは、収縮力の差によって上向きに湾曲するので、着用者の太股の圧迫が少なくなって歩行が楽になる。
【００８９】
さらに、前縁部２ｂが上向きに湾曲するから、湾曲しない後縁部２ｃとの関係で、パンツ型おむつ１の前後が判別しやすいので、前後を間違って着用するおそれがなくなる。
【００９０】
さらにまた、パンツ型おむつ１は、主におむつ幅方向Ｗに横流れ状態で製造されることから、脚周り用弾性部材の全ては、従来では股部Ｒに向かって凸となるようなカーブ形状で添設する必要があったが、本実施形態では、特に前腹部材２Ｐにおける脚穴部Ｓの前縁部２ｂの前脚周り用弾性部材８Ａは、おむつ幅方向Ｗに直線状で添設することができるので、製造工程を簡略化することができる。
【００９１】
また、前腹部材２Ｐと後背部材２Ｑとに分割して製造できるから、前腹部と後背部との間の股部の両側に脚穴部を形成した従来の外装パンツ部材のように、股部を一体に形成する必要がないので、歩留まりが良好になって安価に製造することができる。
【００９２】
さらに、吸収性本体３の延出部２１Ａに延出用弾性部材２２を添設しているから、着用者の股部に対するフィット感がより優れるようになる。
【００９３】
さらにまた、前脚用弾性部材８Ａと後脚用弾性部材８Ｂと延出用弾性部材２２とによって、着用者の脚周りを全周包囲できるために、横漏れ防止性能がより向上するようになる。
【００９４】
また、前脚周り用弾性部材８Ａに吸収性本体３が重なる部位で、吸収性本体３を前腹部材２Ｐに接着しないから、前脚周り用弾性部材８Ａと延出用弾性部材２２とが重なる部分において、前脚周り用弾性部材８Ａを添設した前腹部材２Ｐが上下にずれ動きやすくなるので、着用者の脚の動きに追従しやすくなって着用感がより向上するようになる。
【００９５】
なお、図８に示すように、前脚周り用弾性部材８Ａは、吸収性本体３の吸液性コア３ａに掛かる部位８ｄでは収縮力が発現しないように設定すれば、前脚周り用弾性部材８Ａの収縮力で吸液性コア３ａが歪まないので、より快適な着用感が得られるようになる。この収縮力が発現しない部位８ｄを形成するには、例えばこの部位の前脚周り用弾性部材８Ａをカッターで切断すれば良い。
【００９６】
さらに、脚穴部Ｓの後縁部２ｃを外方に膨らむ形状に形成しているから、着用者の丸みのある臀部を包み込んで、柔らかくフィットさせることができる。
【００９７】
さらにまた、脚穴部Ｓの後脚周り用弾性部材８Ｂは、吸収性本体３の吸液性コア１４に掛かる部位では収縮力が発現しないように設定しているから、後脚周り用弾性部材８Ｂの収縮力で吸液性コア１４が歪まないので、より快適な着用感が得られるようになる。
【００９８】
また、吸収性本体に立体部２１Ｂを設けているから、横漏れ防止性能が向上するようになる。さらに、立体部２１Ｂは、起立基端部２１ｂからおむつ幅方向Ｗの外方に向かって立ち上がり、起立自由端部２１ｃには立体用弾性部材２４を添設しているから、立体部２１Ｂがトップシート１２の表面を覆うことがなくなって、有効な吸収表面積を広く確保することができる。
【００９９】
図５に示すように、上記サイドシート２１の立体部２１Ｂを、起立基端部２１ｂからおむつ幅方向Ｗの外方に向かって折り返される第１立体部２１Ｂ−１と、第１立体部２１Ｂ―１の上縁から内方に向かって折り返される第２立体部２１Ｂ―２とで形成して、第１立体部２１Ｂ―１の上縁に、中間点弾性部材２５をおむつ前後方向Ｘに伸張状態で添設する構成としても良い。
【０１００】
このように構成すれば、立体部２１Ｂは、第１立体部２１Ｂ―１と第２立体部２１Ｂ−２とで形成しているから、有効な吸収面積を広く確保しながら立体部２１Ｂを高くできるので、横漏れ防止性能をより向上させることができる。また、第１立体部２１Ｂ−１の上縁に中間点弾性部材２５を添設しているから、第２立体部２１Ｂ−２がしっかりと起立するので、横漏れ防止性能をより向上させることができる。
【０１０１】
図６および図７（ｂ）に示すように、上記吸収性本体３の前端部３ａと後端部３ｂのバックシート１３に、面ファスナーのフック部２６Ａを設けるとともに、前腹部材２Ｐおよび後背部材２Ｑの肌面側シート４に面ファスナーのループ部２６Ｂを設けて、前腹部材２Ｐおよび後背部材２Ｑに吸収性本体３を着脱可能に係止するようにしても良い。
【０１０２】
ここで、面ファスナーとは、フック部とループ部とが対をなして、両者を強く圧迫すると、フック部とループ部とが相互に外れにくいように係止されるとともに、フック部とループ部とを手で強く引き剥がすと、フック部とループ部との係止が外れるものをいい、メカニカルファスナーとも呼ばれている。
【０１０３】
また、不織布製シート自体は、面ファスナーのループ部としての機能も有するので、ループ部を設ける代わりに、不織布シートを利用すれば、ループ部を省略できる。なお、面ファスナーに代えて、繰り返して剥離可能な接着剤であっても良い。
【０１０４】
上記面ファスナーを吸収性本体３のバックシート１３の全面に設けることもできるが、本実施形態のように、前端部３ａと後端部３ｂのみに設ければ、パンツ型おむつ１を装着した後に、吸収性本体３を好適にフィットさせる調整を簡単に行えるようになる。なお、面ファスナーのフック部２６Ａを設ける場合、フック部２６Ａが存在する部位以外のバックシート１３は、前腹部材２Ｐおよび後背部材２Ｑに対して、非接着とするか若しくは部分的に仮止め程度に接着していることが好ましい。
【０１０５】
このように構成すれば、吸収性本体３だけを取り替えて、胴周りを構成する前腹部材２Ｐおよび後背部材２Ｑを再利用できるので、経済的になる。
【０１０６】
また、吸収性本体３の前端部３ａのみを前腹部材２Ｐに着脱可能に係止することもできる。このようにすれば、吸収性本体３の前端部３ａを前腹部材２Ｐから外すことによって、通常は左右一対の脚穴部Ｓに脚を通して着用するところが、胴周りを構成する前腹部材２Ｐと後背部材２Ｑとの間にだけ脚を通せば良いことになって、着用しやすくなる。特に片手や片足が不自由な着用者にとっては、胴周りを構成する前腹部材２Ｐと後背部材２Ｑとの持ち上げは片手でできるので、着用しやすくなる。加えて、尿取りパッド等の補助吸収体を併用するような場合に、補助吸収体の交換作業も楽に行える。なお、吸収性本体３の後端部３ｂのみを後背部材２Ｑに着脱可能に係止することもできる。
【０１０７】
また、吸収性本体３の裏面に不織布１８を貼り合わせると、手触りが良くなるとともに、外観性も良好になる。
【図面の簡単な説明】
【図１】使い捨てパンツ型おむつであり、（ａ）は展開図、（ｂ）は（ａ）のＡ−Ａ線断面図である。
【図２】（ａ）は図１（ａ）のＢ−Ｂ線拡大断面図、（ｂ）は前腹部材と後背部材の展開図である。
【図３】吸収性本体であり、（ａ）は平面図、（ｂ）は下層吸収体の平面図である。
【図４】上層吸収体であり、（ａ）は平面図、（ｂ）は（ａ）のＣ−Ｃ線拡大断面図である。
【図５】変形の立体部を有する図１（ａ）のＢ−Ｂ線相当拡大断面図である。
【図６】変形例の使い捨てパンツ型おむつであり、（ａ）は展開図、（ｂ）は（ａ）のＤ−Ｄ線断面図である。
【図７】（ａ）は図１の使い捨てパンツ型おむつの斜視図、（ｂ）は図６の使い捨てパンツ型おむつの斜視図である。
【図８】前脚周り用弾性部材の変形例を示す使い捨てパンツ型おむつの要部展開図である。
【符号の説明】
１      使い捨てパンツ型おむつ
２Ｐ    前腹部材
２Ｑ    後背部材
２ｂ    前縁部
２ｃ    後縁部
３      吸収性本体
３ａ    前端部
３ｂ    後端部
３ｄ    側縁部
４      肌面側シート
５      外面側シート
６      ウエスト用弾性部材
８Ａ    前脚周り用弾性部材
８Ｂ    後脚周り用弾性部材
１４    吸液性コア
１４Ａ  下層吸収体
１４Ｂ  上層吸収体
２１    サイドシート
２１Ａ  延出部
２１Ｂ  立体部
２１Ｂ−１  第１立体部
２１Ｂ−２  第２立体部
２２    延出用弾性部材
２４    立体用弾性部材
２５    中間点弾性部材
２６Ａ  フック部
２６Ｂ  ループ部
Ｒ      股部
Ｓ      脚穴部
Ｗ      おむつ幅方向
Ｘ      おむつ前後方向
【図１】
2005027839.tif 000003
【図２】
2005027839.tif 000004
【図３】
2005027839.tif 000005
【図４】
2005027839.tif 000006
【図５】
2005027839.tif 000007
【図６】
2005027839.tif 000008
【図７】
2005027839.tif 000009
【図８】
2005027839.tif 000010